(57)【要約】【課題】収集した心電情報の信頼性が効率的に評価できるようにする。【解決手段】生体情報収集装置により収集された被検者の生体情報を入力する入力インターフェース１４２と、入力した生体情報を記憶する生体情報記憶部１４３と、記憶した生体情報の中から少なくとも第１の時点、第２の時点の生体情報を定められた順序で表示する表示部１４８と、を有する。【選択図】図２
2018139785.tif 000002
【特許請求の範囲】
【請求項１】
被検者の生体情報を収集する生体情報収集装置と、
当該生体情報収集装置により、収集した生体情報を表示する生体情報表示装置と、を備え、
前記生体情報収集装置または前記生体情報表示装置は、前記生体情報収集装置により収集された生体情報の中から複数の異なる時点の生体情報を定められた順序で抽出し、
前記生体情報表示装置は、前記抽出された生体情報を表示する生体情報記録システム。
【請求項２】
前記複数の異なる時点は、少なくとも、前記生体情報収集装置が生体情報の収集を開始した後の第１の時点、前記第１の時点よりも後の第２の時点、前記第１の時点と前記第２の時点との間の第３の時点を含み、定められた順序は、第１の時点、第２の時点、第３の時点の順序、または、第１の時点、第３の時点、第２の時点の順序、または、第２の時点、第３の時点、第１の時点の順序、のいずれかの順序である請求項１に記載の生体情報記録システム。
【請求項３】
前記生体情報表示装置は、前記第１の時点、前記第２の時点、前記第３の時点を含むそれぞれの時点で抽出した生体情報を、前記生体情報収集装置が生体情報を収集したときの時間軸に合わせて時系列に並べて表示する請求項２に記載の生体情報記録システム。
【請求項４】
前記生体情報表示装置は、前記生体情報収集装置によって抽出された、前記第１の時点、前記第２の時点、前記第３の時点を含むそれぞれの時点の生体情報を受信し、前記生体情報収集装置から受信した順に並べて表示する請求項２に記載の生体情報記録システム。
【請求項５】
前記生体情報表示装置は、さらに、前記生体情報収集装置が収集した生体情報を抽出した区間に対応する長さのスケールを表示し、前記スケールには、表示しているそれぞれの生体情報の収集された時点に対応する指標が表示される請求項３または４に記載の生体情報記録システム。
【請求項６】
前記生体情報表示装置は、表示しているそれぞれの生体情報と生体情報のスケール上の指標とを、同一の表示色または点滅状態によって表示する請求項５に記載の生体情報記録システム。
【請求項７】
前記第１の時点は前記生体情報の収集を開始した時点であり、前記第２の時点は前記生体情報の収集を終了した時点であり、前記第３の時点は、前記生体情報の収集を開始した時点と収集を終了した時点との中間点である請求項２から６のいずれかに記載の生体情報記録システム。
【請求項８】
前記生体情報は、前記被検者に装着した心電電極から取得した心電情報、前記被検者に装着したＳｐＯ２プローブから取得したＳｐＯ２情報、前記被検者の頭部に装着した脳波電極から取得した脳波情報、前記被検者の呼吸の状態を検出するセンサから取得した情報、前記被検者の脈波を検出するセンサから取得した情報、前記被検者の血圧を検出するセンサから取得した情報、前記被検者の筋電を検出するセンサから取得した情報、前記被検者の体温を検出するセンサから取得した情報、前記被検者の眼球の状態を検出するセンサから取得した情報、のいずれかである請求項１から７のいずれかに記載の生体情報記録システム。
【請求項９】
前記生体情報収集装置は前記生体情報を出力する出力インターフェースを有する一方、前記生体情報表示装置は前記生体情報を入力する入力インターフェースを有し、前記生体情報は前記出力インターフェースから前記入力インターフェースに無線または有線で伝送される請求項１から８のいずれかに記載の生体情報記録システム。
【請求項１０】
生体情報を収集する生体情報収集装置により収集された被検者の生体情報を入力する入力インターフェースと、
入力した生体情報を記憶する生体情報記憶部と、
記憶した生体情報の中から少なくとも第１の時点、第２の時点の生体情報を定められた順序で抽出された生体情報を表示する表示部と、
を有する生体情報表示装置。
【請求項１１】
前記定められた順序で少なくとも第１の時点、第２の時点の生体情報を抽出する抽出部を備えている請求項１０に記載の生体情報表示装置。
【請求項１２】
さらに、前記抽出部が生体情報を抽出するときの、前記少なくとも第１の時点、第２の時点と定められた順序とを含む抽出情報を記憶する抽出情報記憶部を有し、
前記抽出部は、前記抽出情報を用いて、複数の異なる時点の生体情報を定められた順序で抽出する請求項１１に記載の生体情報表示装置。
【請求項１３】
前記第１の時点と前記第２の時点は、少なくとも、前記生体情報収集装置が生体情報の収集を開始した後の第１の時点、前記第１の時点よりも後の第２の時点であり、前記定められた順序は第１の時点、第２の時点、または、第２の時点、第１の時点の順序である請求項１０に記載の生体情報表示装置。
【請求項１４】
前記第１の時点と前記第２の時点との間の第３の時点を含み、定められた順序は第１の時点、第２の時点、第３の時点の順序、または、第１の時点、第３の時点、第２の時点の順序、または、第２の時点、第３の時点、第１の時点の順序である請求項１０に記載の生体情報表示装置。
【請求項１５】
前記表示部は、第１の時点、第２の時点、第３の時点を含むそれぞれの時点で抽出した生体情報を、生体情報が収集されたときの時間軸に合わせて時系列に並べて表示する請求項１４に記載の生体情報表示装置。
【請求項１６】
前記表示部は、さらに、前記生体情報収集装置が収集した生体情報を抽出した区間に対応する長さのスケールを表示し、前記スケールには、表示しているそれぞれの生体情報の収集された時点に対応する指標が表示される請求項１５に記載の生体情報表示装置。
【請求項１７】
前記表示部は、表示しているそれぞれの生体情報と生体情報のスケール上の指標とを、同一の表示色または点滅状態によって表示する請求項１６に記載の生体情報表示装置。
【請求項１８】
第１の時点は前記生体情報の収集を開始した時点であり、第２の時点は前記生体情報の収集を終了した時点であり、第３の時点は、前記生体情報の収集を開始した時点と収集を終了した時点との中間点である請求項１４または１５に記載の生体情報表示装置。
【請求項１９】
前記生体情報は、前記被検者に装着した心電電極から取得した心電情報、前記被検者に取り付けたＳｐＯ２プローブから取得したＳｐＯ２情報、または、前記被検者の頭部に取り付けた脳波電極から取得した脳波情報、前記被検者の呼吸の状態を検出するセンサから取得した情報、前記被検者の脈波を検出するセンサから取得した情報、前記被検者の血圧を検出するセンサから取得した情報、前記被検者の筋電を検出するセンサから取得した情報、前記被検者の体温を検出するセンサから取得した情報、前記被検者の眼球の状態を検出するセンサから取得した情報、のいずれかである請求項１０から１８のいずれかに記載の生体情報表示装置。
【請求項２０】
被検者の生体情報を入力インターフェースから入力させる段階と、
入力させた生体情報を生体情報記憶部に記憶させる段階と、
記憶させた生体情報の中から抽出部により複数の異なる時点の生体情報を定めた順序で抽出させる段階と、
抽出させた複数の生体情報を表示部に表示させる段階と、
を含む生体情報表示方法。
【請求項２１】
被検者の生体情報の中から定められた順序で抽出した複数の異なる時点の生体情報を入力インターフェースから入力させる段階と、
入力させた生体情報を抽出情報記憶部に記憶させる段階と、
記憶させた生体情報を表示部に表示させる段階と、
を含む生体情報表示方法。
【請求項２２】
コンピュータに、
被検者の生体情報を入力させる段階、
入力させた生体情報を記憶させる段階、
記憶させた生体情報の中から複数の異なる時点の生体情報を定めた順序で抽出させる段階、
抽出させた複数の生体情報を表示させる段階、
を実行させるための生体情報表示プログラム。
【発明の詳細な説明】
【技術分野】
【０００１】
本発明は、生体情報記録システム、生体情報表示装置、生体情報表示方法および生体情報表示プログラムに関する。
【背景技術】
【０００２】
被検者は、ホルター心電計を装着し、日常生活で不整脈が発生するか否か、心筋虚血が起きるか否か、などを検査する。この検査では、たとえば、８時間（場合によっては１日から７日間）といった長時間に亘って心電情報が収集される。
【０００３】
収集された心電情報は、収集開始時点から収集終了時点までの全時間に亘って、電極や誘導コードの外れがなかったかなど、解析に値する信頼性を備えているか否かが評価される。この評価をする場合、収集した心電情報を全時間に亘って心電図として再生し、医師または技師などの医療従事者がその心電図を見て信頼性の有無を判断する。心電図に大きな乱れがあれば、収集した心電情報には信頼性がないと判断され、最悪の場合には再検査が行われる。
【０００４】
全時間に亘る心電図の確認には多くの時間を要するので効率的ではない。特許文献１は、ホルター心電計などで記録した長時間の心電図データから複数の心拍波形を再分類し、心拍データの誤判定を改善することを開示している。
【先行技術文献】
【特許文献】
【０００５】
【特許文献１】特開２００６−１１６２０７号公報
【発明の概要】
【発明が解決しようとする課題】
【０００６】
しかし、特許文献１に開示されている技術を用いたとしても、それだけでは、上記の、全時間に亘る心電図の確認が効率的に行えるわけではない。すなわち、心電情報の信頼性の評価が効率的にできるようにするためには更なる工夫が必要である。
【０００７】
本発明は、このような従来の技術の問題点を解消するためになされたものであり、収集した心電情報の信頼性を効率的に評価できるようにする、生体情報記録システム、生体情報表示装置、生体情報表示方法および生体情報表示プログラムを提供する。
【課題を解決するための手段】
【０００８】
本発明に係る生体情報記録システムの第一の態様は、生体情報収集装置と生体情報表示装置とを有する。生体情報収集装置は、被検者の生体情報を収集する。生体情報表示装置は、被検者の生体情報を表示する。生体情報収集装置または生体情報表示装置は、収集した生体情報の中から複数の異なる時点の生体情報を定められた順序で抽出し、生体情報表示装置は、抽出された生体情報を表示する。
【０００９】
本発明に係る生体情報表示装置の第二の態様は、入力インターフェース、生体情報記憶部、表示部を有する。入力インターフェースは、生体情報収集装置により収集された被検者の生体情報を入力する。生体情報記憶部は、入力した生体情報を記憶する。表示部は、記憶した生体情報の中から少なくとも第１の時点、第２の時点の生体情報を定められた順序で表示する。
【００１０】
本発明に係る生体情報表示方法の第三の態様は、被検者の生体情報を入力インターフェースから入力させる段階と、入力させた生体情報を生体情報記憶部に記憶させる段階と、記憶させた生体情報の中から抽出部により複数の異なる時点の生体情報を定めた順序で抽出させる段階と、抽出させた複数の生体情報を表示部に表示させる段階と、を含む。
【００１１】
本発明に係る生体情報表示プログラムの第四の態様は、コンピュータに、被検者の生体情報を入力させる段階、入力させた生体情報を記憶させる段階、記憶させた生体情報の中から複数の異なる時点の生体情報を定めた順序で抽出させる段階、抽出させた複数の生体情報を表示させる段階、を実行させる。
【発明の効果】
【００１２】
本発明に係る生体情報記録システム、生体情報表示装置、生体情報表示方法によれば、使用者が、表示されている生体情報を見て、収集した生体情報の信頼性を効率的に評価できる。
【００１３】
また、本発明に係る生体情報表示プログラムによれば、コンピュータにより上記の生体情報表示装置を実現し、コンピュータに上記の生体情報表示方法を実行させることができるので、使用者が、表示されている生体情報を見て、収集した生体情報の信頼性を効率的に評価できる。
【図面の簡単な説明】
【００１４】
【図１】実施形態１に係る生体情報記録システムの概略構成図である。
【図２】実施形態１に係る生体情報表示装置のブロック図である。
【図３】図１に示す生体情報収集装置の動作フローチャートである。
【図４】図１および図２に示す生体情報表示装置の動作フローチャートである。
【図５】実施形態２に係る生体情報記録システムの概略構成図である。
【図６】実施形態２に係る生体情報表示装置のブロック図である。
【図７】図５に示す生体情報収集装置の動作フローチャートである。
【図８】図５および図６に示す生体情報表示装置の動作フローチャートである。
【図９】表示部の表示態様を示す図である。
【図１０】表示部の他の表示態様を示す図である。
【図１１】表示部の表示により生体情報の信頼性が効率的に評価できることの説明に供する図である。
【図１２】表示部の表示により生体情報の信頼性が効率的に評価できることの説明に供する図である。
【図１３】表示部の表示により生体情報の信頼性が効率的に評価できることの説明に供する図である。
【図１４】表示部の表示により生体情報の信頼性が効率的に評価できることの説明に供する図である。
【図１５】表示部の表示により生体情報の信頼性が効率的に評価できることの説明に供する図である。
【発明を実施するための形態】
【００１５】
以下に、本発明に係る生体情報記録システム、生体情報表示装置、生体情報表示方法および生体情報表示プログラムの実施形態を、［実施形態１］と［実施形態２］に分けて、図面を参照しながら、詳細に説明する。
【００１６】
［実施形態１］
実施形態１は、生体情報収集装置が生体情報を時系列に収集し、収集した生体情報を生体情報表示装置に出力する機能を有し、生体情報表示装置が入力した生体情報から特定の区間の生体情報のみを抽出し、抽出した生体情報を表示する機能を有する。
（生体情報記録システムの構成）
図１は、実施形態１に係る生体情報記録システムの概略構成図である。図２は、実施形態１に係る生体情報表示装置のブロック図である。
【００１７】
生体情報記録システム１００は、生体情報収集装置１２０、生体情報表示装置１４０から構成される。
【００１８】
（生体情報収集装置１２０の構成）
生体情報収集装置１２０は、記憶部１２４と出力インターフェース１２６とを有する。生体情報収集装置１２０は、生体情報を取得するためのセンサ１２２、…、１２２が接続される。
【００１９】
センサ１２２、…、１２２は、生体情報が心電情報であるときには、被検者の体に装着する心電電極であり、また、生体情報がＳｐＯ２情報であるときには、被検者の指先または耳に装着するＳｐＯ２プローブであり、さらに、生体情報が脳波情報であるときには、被検者の頭部に装着する脳波電極である。また、その他に、被検者の呼吸の状態を検出するセンサ、被検者の脈波を検出するセンサ、被検者の血圧を検出するセンサ、被検者の筋電を検出するセンサ、被検者の体温を検出するセンサ、被検者の眼球の状態を検出するセンサのいずれかであっても良い。
【００２０】
センサ１２２、…、１２２を心電電極とすることによって、生体情報収集装置１２０は生体情報として心電情報を収集することができる。また、センサ１２２、…、１２２をＳｐＯ２プローブとすることによって、生体情報収集装置１２０は生体情報としてＳｐＯ２情報を収集することができる。さらに、センサ１２２、…、１２２を脳波電極とすることによって、生体情報収集装置１２０は生体情報として脳波情報を収集することができる。また、その他に、センサ１２２、…、１２２を呼吸、脈波、血圧、筋電、温度、眼球などの生体情報を取得するセンサとすることによって、各々の情報を収集することができる。
【００２１】
記憶部１２４は、センサ１２２、…、１２２が取得した生体情報を時系列に記憶する。たとえば、生体情報収集装置１２０がホルター心電計として用いられる場合には、おおよそ８時間以上に亘って、心電情報が収集開始時点から収集終了時点まで時系列に記憶部１２４に記憶される。このように、生体情報収集装置１２０は、被検者の生体情報を時系列に収集できる。
【００２２】
出力インターフェース１２６は、記憶部１２４に記憶されている生体情報を外部に無線または有線で伝送させる。出力インターフェース１２６は、生体情報を外部に無線で伝送させるタイプのものには、送信部が備えられ、生体情報を外部に有線で伝送させるタイプのものには、コネクタが備えられる。
（生体情報表示装置１４０の構成）
生体情報表示装置１４０は、出力インターフェース１２６から伝送される生体情報を受信し、生体情報収集装置１２０が収集した生体情報の中から、複数の異なる時点の生体情報を取得し、取得した生体情報を表示する。このため、使用者は、表示されている生体情報を見て、収集した生体情報の信頼性を効率的に評価できる。
【００２３】
生体情報表示装置１４０は、図２に示すような構成を有する。
【００２４】
生体情報表示装置１４０は、入力インターフェース１４２、生体情報記憶部１４３、抽出部１４４、抽出情報記憶部１４５、表示部１４８を有する。
【００２５】
入力インターフェース１４２は、生体情報収集装置１２０の出力インターフェース１２６（図１参照）から、無線または有線で伝送された、被検者の生体情報を時系列に入力する。入力インターフェース１４２は、生体情報を外部から無線で入力するタイプのものには、受信部が備えられ、生体情報を外部から有線で入力するタイプのものには、コネクタが備えられる。
【００２６】
出力インターフェース１２６と入力インターフェース１４２との間の生体情報の伝送を無線により行うと使い勝手が向上する。一方、その伝送を有線により行うと外部ノイズの影響が受け難くなるので、伝送の信頼性、伝送速度が向上する。
【００２７】
生体情報記憶部１４３は、ＲＡＭ（ランダムアクセスメモリー）によって構成され、入力インターフェース１４２から入力した生体情報を時系列に記憶する。生体情報収集装置１２０の記憶部１２４（図１参照）は、生体情報を時系列に記憶する。その生体情報は、記憶された順に時系列に、出力インターフェース１２６から伝送される。したがって、生体情報記憶部１４３は生体情報収集装置１２０の記憶部１２４と同一の生体情報をコピーすることになる。
【００２８】
抽出部１４４は、ＣＰＵ（中央演算処理装置）によって構成され、生体情報記憶部１４３に記憶されている生体情報の中から複数の異なる時点の生体情報を定められた順序で抽出する。
【００２９】
抽出情報記憶部１４５は、ＲＡＭ（ランダムアクセスメモリー）によって構成され、抽出部１４４が生体情報を抽出するときの、複数の異なる時点と定められた順序とを含む抽出情報を記憶する。
【００３０】
抽出部１４４は、この抽出情報を用いて、複数の異なる時点の生体情報を定められた順序で抽出する。抽出部１４４は、複数の異なる時点の生体情報を抽出するので、生体情報の信頼性を効率的に評価できる。
【００３１】
抽出情報記憶部１４５が抽出情報として記憶する、複数の異なる時点は、少なくとも、生体情報収集装置１２０が生体情報の収集を開始した後の第１の時点、第１の時点よりも後の第２の時点、第１の時点と第２の時点との間の第３の時点の３つの時点を含む。また、抽出情報記憶部１４５が抽出情報として記憶する。
【００３２】
具体的な例として、抽出部１４４が生体情報記憶部１４３に記憶されている生体情報の中から生体情報を抽出する順序としては、生体情報収集装置１２０が生体情報の収集を開始した時点（第１の時点）、生体情報の収集を終了した時点（第２の時点）、生体情報の収集を開始した時点と生体情報の収集を終了した時点との中間点（第３の時点）の順序である。
【００３３】
このように、第１の時点と、第２の時点と、第３の時点を、生体情報を収集したときの時系列の順序とは異なる順序で定めることによって、生体情報の信頼性を効率的に評価できる。
【００３４】
この実施形態では、複数の異なる時点として、第１から第３の３つの時点を例示しているが、さらに、第１の時点と第３の時点との中間点である第４の時点、第３の時点と第２の時点の中間点である第５の時点、…、というように５つの時点としても良いし、１０個の時点、２０個の時点としても良い。また、定められた順序は、たとえば、第１、第２、第３、第４、第５の時点という順序ではなく、ランダムな順序であっても良い。さらに、複数の異なる時点と順序は、例えば、収集した生体情報の所定の期間を対象とするなど、ユーザーに都合の良いように、任意に設定しても良い。
【００３５】
表示部１４８は、液晶または有機ＥＬディスプレイであり、抽出部１４４が抽出した複数の生体情報を表示する。表示部１４８は、前記第１の時点、前記第２の時点、前記第３の時点を含むそれぞれの時点で抽出した生体情報を表示するので、使用者による、生体情報の信頼性の評価が効率的になる。
【００３６】
表示部１４８は、前記第１の時点、前記第２の時点、前記第３の時点を含むそれぞれの時点で抽出した生体情報を、生体情報収集装置１２０が生体情報を収集したときの時間軸に合わせて時系列に並べて表示する。つまり、表示部１４８は、前記第１の時点、前記第２の時点、前記第３の時点の生体情報を、前記第１の時点、前記第３の時点、前記第２の時点の生体情報の順に並べ替えて表示する（図９参照）。
【００３７】
このように、第１の時点と、第２の時点と、第３の時点を、生体情報を収集したときの時系列の順序もしくは任意に合わせた順序で表示させることによって、生体情報の信頼性を効率的に評価できる。使用者は、時系列もしくは任意に並べられた生体情報を見て、生体情報収集装置１２０の記憶部１２４に記憶されている生体情報の信頼性の概要が認識できる。
【００３８】
表示部１４８は、さらに、生体情報収集装置１２０が生体情報の収集に要した時間に対応する長さのスケールを表示する。このスケールには、表示しているそれぞれの生体情報の収集された時点に対応する指標が表示される（図１０参照）。
【００３９】
表示部１４８にスケールと指標とを表示させることによって、表示している生体情報がどの時点で収集された生体情報であるかが直観的にわかるようになる。
【００４０】
また、表示部１４８は、表示しているそれぞれの生体情報と当該生体情報のスケール上の指標とを、同一の表示色または点滅状態によって表示する。または、表示部１４８が、タッチパネルのようなディスプレイであった場合や、マウス等の入力装置により、表示された生体情報区間を使用者が選択した時に、その時のスケール上の指標を同一表示色または点滅状態によって表示する。使用者が選択した区間がどの時点で収集した生体情報であるかをより明確に認識できる。
【００４１】
このように生体情報と指標とを、同一の表示色または点滅状態によって対応付けて表示させたり、使用者が選択した区間と連動させて表示させたりすることによって、表示している生体情報がどの時点で収集された生体情報であるかがより明確に認識できる。
【００４２】
以上、生体情報記録システム１００、生体情報収集装置１２０、生体情報表示装置１４０の構成を説明したが、次に、これらの動作を、図３、図４、図９を参照しながら、詳細に説明する。
【００４３】
（生体情報収集装置１２０の動作）
図３は、図１に示す生体情報収集装置１２０の動作フローチャートである。
【００４４】
生体情報収集装置１２０は、図１に示すように、センサ１２２、…、１２２から生体情報を収集する（Ｓ１００）。生体情報は、センサ１２２、…、１２２が心電電極であれば心電情報であり、センサ１２２、…、１２２がＳｐＯ２プローブであればＳｐＯ２情報であり、センサ１２２、…、１２２が脳波電極であれば脳波情報である。センサ１２２、…、１２２から収集された生体情報は、記憶部１２４に時系列に記憶される。
【００４５】
生体情報の収集には時間が設定されている。たとえば、ホルター心電図を収集する場合には、収集時間は８時間から１日程度に設定されている。生体情報収集装置１２０は、この収集時間を経過したか否かを判断する（Ｓ１０１）。収集時間を経過していなければ（Ｓ１０１：ＮＯ）、Ｓ１００の処理に戻って、生体情報を収集する。一方、収集時間を経過したら（Ｓ１０１：ＹＥＳ）、生体情報収集装置１２０は、生体情報の収集を終了する（Ｓ１０２）。
【００４６】
生体情報収集装置１２０は、生体情報表示装置１４０から生体情報の送信指示があるか否かを判断する（Ｓ１０３）。送信指示がなければ（Ｓ１０３：ＮＯ）、送信指示があるまで待つ。一方、送信指示があれば（Ｓ１０３：ＹＥＳ）、生体情報収集装置１２０は、出力インターフェース１２６から、記憶部１２４に記憶されている生体情報を時系列に生体情報表示装置１４０に向けて送信する（Ｓ１０４）。
【００４７】
（生体情報表示装置１４０の動作）
図４に示す生体情報表示装置１４０の動作フローチャートである。
【００４８】
生体情報表示装置１４０は、生体情報収集装置１２０から送信されてくる生体情報を入力インターフェース１４２から受信する（Ｓ２００）。生体情報表示装置１４０は、受信した生体情報を生体情報記憶部１４３に記憶する（Ｓ２０１）。生体情報表示装置１４０は、全ての生体情報を受信したか否かを判断する（Ｓ２０２）。つまり、生体情報表示装置１４０は、生体情報収集装置１２０の記憶部１２４に記憶されている、全ての生体情報が、生体情報記憶部１４３に記憶されたか否かを判断する。
【００４９】
全ての生体情報を受信していなければ（Ｓ２０２：ＮＯ）、Ｓ２００の処理に戻って、Ｓ２００とＳ２０１の処理を繰り返し、全ての生体情報が受信されるまで、受信した生体情報を生体情報記憶部１４３に記憶する。
【００５０】
全ての生体情報を受信したら（Ｓ２０２：ＹＥＳ）、抽出部１４４は、抽出情報記憶部１４５に記憶されている抽出情報を用いて、複数の異なる時点の生体情報を定められた順序で抽出する。なお、上記の実施形態では、全ての生体情報を受信していなければ（Ｓ２０２：ＮＯ）、Ｓ２００の処理に戻って、Ｓ２００とＳ２０１の処理を繰り返すとしたが、使用者が任意に設定することにより、例えば、部分的な情報を受信された場合であっても、受信した生体情報を生体情報記憶部１４３に記憶し、抽出部１４４は、抽出情報記憶部１４５に記憶されている抽出情報を用いて、複数の異なる時点の生体情報を定められた順序で抽出するような実施形態としてもよい。
【００５１】
生体情報収集装置１２０の記憶部１２４に記憶されている全ての生体情報は、生体情報記憶部１４３にそのままコピーされ記憶されている。また、抽出情報記憶部１４５は、少なくとも、生体情報の収集が開始された後の第１の時点、前記第１の時点よりも後の第２の時点、前記第１の時点と前記第２の時点との間の第３の時点を記憶している。具体的には、生体情報収集装置１２０が、生体情報の収集を開始した時点（第１の時点）、生体情報の収集を終了した時点（第２の時点）、生体情報の収集を開始した時点と収集を終了した時点との中間点（第３の時点）である。
【００５２】
本実施形態では、上記の第１から第３の時点に加え、第１の時点と第３の時点との中間点である第４の時点、第３の時点と第２の時点との中間点である第５の時点を加えている。また、定められた順序は、第１、第２、第３、第４、第５の時点の順序である。
【００５３】
したがって、抽出部１４４は、第１〜第５の時点の順に生体情報を抽出する（Ｓ２０３）。なお、抽出する生体情報は、たとえば、第１から第５のそれぞれの時点を中心とする前後１．５秒間というように、一定の時間幅を持っている。
【００５４】
表示部１４８は、抽出した生体情報を時系列に並び替えて表示する（Ｓ２０４）。具体的には、第１の時点、第２の時点、第３の時点、第４の時点、第５の時点の順序で抽出したそれぞれの生体情報を、生体情報収集装置１２０が生体情報を収集したときの時間軸に合わせて、第１の時点、第４の時点、第３の時点、第５の時点、第２の時点の順序で、時系列に並べ替えて表示する（図９参照）。
【００５５】
表示部１４８は、抽出部１４４が第１の時点の生体情報を抽出すると、第１の時点の生体情報を表示する。次に、抽出部１４４が第２の時点の生体情報を抽出すると、第１の時点、第２の時点の生体情報を、第１の時点、第２の時点の生体情報の順序で時系列に表示する。さらに、抽出部１４４が第３の時点の生体情報を抽出すると、第１の時点、第２の時点、第３の時点の生体情報を、第１の時点、第３の時点、第２の時点の生体情報の順序で時系列に表示する。以降、第４の時点、第５の時点の生体情報を抽出したときにも、生体情報が抽出される度に、時系列に並べ替えて表示する。なお、表示部１４８は、前述のように時系列で並べ替えて表示するだけでなく受信した順またはユーザー任意の並びとしても良い。
【００５６】
［実施形態２］
実施形態２は、生体情報収集装置が生体情報を時系列に収集し、収集した生体情報から特定の区間の生体情報のみを抽出し、抽出した生体情報を生体情報表示装置に出力する機能を有し、生体情報表示装置が入力した生体情報を表示する機能を有する。
（生体情報記録システムの構成）
図５は、実施形態２に係る生体情報記録システムの概略構成図である。図６は、実施形態２に係る生体情報表示装置のブロック図である。
【００５７】
生体情報記録システム１００Ａは、生体情報収集装置１２０Ａ、生体情報表示装置１４０Ａから構成される。
【００５８】
（生体情報収集装置１２０Ａの構成）
生体情報収集装置１２０Ａは、記憶部１２４、抽出部１４４Ａ、抽出情報記憶部１４５Ａ、出力インターフェース１２６を有する。生体情報収集装置１２０Ａは、生体情報を取得するためのセンサ１２２、…、１２２が接続される。
【００５９】
センサ１２２、…、１２２は、実施形態１において説明したように、心電電極、ＳｐＯ２プローブ、脳波電極、被検者の呼吸の状態を検出するセンサ、被検者の脈波を検出するセンサ、被検者の血圧を検出するセンサ、被検者の筋電を検出するセンサ、被検者の体温を検出するセンサ、被検者の眼球の状態を検出するセンサのいずれかである。
【００６０】
記憶部１２４は、実施形態１において説明したように、センサ１２２、…、１２２が取得した生体情報を時系列に記憶する。
【００６１】
抽出部１４４Ａは、実施形態１において説明したように、ＣＰＵ（中央演算処理装置）によって構成され、記憶部１２４に記憶されている生体情報の中から複数の異なる時点の生体情報を定められた順序で抽出する。
【００６２】
抽出情報記憶部１４５Ａは、実施形態１において説明したように、ＲＡＭ（ランダムアクセスメモリー）によって構成され、抽出部１４４Ａが生体情報を抽出するときの、複数の異なる時点と定められた順序とを含む抽出情報を記憶する。
【００６３】
抽出部１４４Ａは、この抽出情報を用いて、複数の異なる時点の生体情報を定められた順序で抽出する。抽出部１４４Ａは、複数の異なる時点の生体情報を抽出するので、生体情報の信頼性を効率的に評価できる。なお、複数の異なる時点と定められた順序の内容は実施形態１と同一である。抽出部１４４Ａによって抽出された生体情報は、記憶部１２４に記憶される。
【００６４】
出力インターフェース１２６は、記憶部１２４に記憶されている生体情報を外部に無線または有線で伝送させる。ここでの、記憶部１２４に記憶されている生体情報は、抽出部１４４Ａによって抽出された生体情報である。出力インターフェース１２６は、生体情報を外部に無線で伝送させるタイプのものには、送信部が備えられ、生体情報を外部に有線で伝送させるタイプのものには、コネクタが備えられる。
（生体情報表示装置１４０Ａの構成）
生体情報表示装置１４０Ａは、出力インターフェース１２６から伝送される生体情報を受信し、受信した生体情報を表示する。このため、使用者は、表示されている生体情報を見て、収集した生体情報の信頼性を効率的に評価できる。
【００６５】
生体情報表示装置１４０Ａは、図６に示すような構成を有する。
【００６６】
生体情報表示装置１４０Ａは、入力インターフェース１４２、生体情報記憶部１４３、表示部１４８を有する。
【００６７】
入力インターフェース１４２は、生体情報収集装置１２０Ａの出力インターフェース１２６（図５参照）から、無線または有線で伝送された、抽出部１４４Ａによって抽出された生体情報を入力する。入力インターフェース１４２Ａは、生体情報を外部から無線で入力するタイプのものには、受信部が備えられ、生体情報を外部から有線で入力するタイプのものには、コネクタが備えられる。
【００６８】
実施形態２の場合、実施形態１とは異なり、生体情報収集装置１２０Ａからは抽出部１４４Ａによって抽出された生体情報が出力されるので、生体情報表示装置１４０Ａへの通信データ量が少なくなり、抽出した波形を表示するまでの時間を短縮できる。
【００６９】
生体情報記憶部１４３は、ＲＡＭ（ランダムアクセスメモリー）によって構成され、入力インターフェース１４２から入力した生体情報を記憶する。したがって、生体情報記憶部１４３には抽出部１４４Ａによって抽出された生体情報が記憶されることになる。
【００７０】
表示部１４８は、液晶または有機ＥＬディスプレイであり、生体情報記憶部１４３に記憶されている生体情報を表示する。
【００７１】
表示部１４８は、実施形態１と同様に、前記第１の時点、前記第２の時点、前記第３の時点を含むそれぞれの時点で抽出した生体情報を、生体情報収集装置１２０Ａが生体情報を収集したときの時間軸に合わせて時系列に並べて表示する。つまり、表示部１４８は、前記第１の時点、前記第２の時点、前記第３の時点の生体情報を、前記第１の時点、前記第３の時点、前記第２の時点の生体情報の順に並べ替えて表示する（図９参照）。
【００７２】
また、表示部１４８は、生体情報収集装置１２０Ａから入力した生体情報の順序に合わせて表示したり、入力した生体情報を、受信するごとに受信した順番にその都度表示させたりするなど、任意の順番やタイミングで並べて表示しても良い。
【００７３】
表示部１４８は、実施形態１と同様に、生体情報収集装置１２０Ａが生体情報の収集に要した時間に対応する長さのスケールを表示する。このスケールには、表示しているそれぞれの生体情報の収集された時点に対応する指標が表示される（図１０参照）。
【００７４】
また、表示部１４８は、表示しているそれぞれの生体情報と当該生体情報のスケール上の指標とを、同一の表示色または点滅状態によって表示する。または、表示部１４８が、タッチパネルのようなディスプレイであった場合や、マウス等の入力装置により、表示された生体情報区間を使用者が選択した時に、その時のスケール上の指標を同一表示色または点滅状態によって表示する。使用者が選択した区間がどの時点で収集した生体情報であるかをより明確に認識できる。
【００７５】
このように生体情報と指標とを、同一の表示色または点滅状態によって対応付けて表示させたり、使用者が選択した区間と連動させて表示させたりすることによって、表示している生体情報がどの時点で収集された生体情報であるかがより明確に認識できる。
【００７６】
以上、生体情報記録システム１００Ａ、生体情報収集装置１２０Ａ、生体情報表示装置１４０Ａの構成を説明したが、次に、これらの動作を、図７から図１１を参照しながら、詳細に説明する。
【００７７】
（生体情報収集装置１２０Ａの動作）
図７は、図５に示す生体情報収集装置１２０Ａの動作フローチャートである。
【００７８】
生体情報収集装置１２０Ａは、図５に示すように、センサ１２２、…、１２２から生体情報を収集する（Ｓ３００）。センサ１２２、…、１２２から収集された生体情報は、記憶部１２４に時系列に記憶される。
【００７９】
生体情報の収集には時間が設定されている。たとえば、ホルター心電図を収集する場合には、収集時間は８時間から１日程度に設定されている。生体情報収集装置１２０は、この収集時間を経過したか否かを判断する（Ｓ３０１）。収集時間を経過していなければ（Ｓ３０１：ＮＯ）、Ｓ３００の処理に戻って、生体情報を収集する。一方、収集時間を経過したら（Ｓ３０１：ＹＥＳ）、生体情報収集装置１２０Ａは、生体情報の収集を終了する（Ｓ３０２）。
【００８０】
全ての生体情報の収集を終了したら（Ｓ３０２）、抽出部１４４Ａは、抽出情報記憶部１４５Ａに記憶されている抽出情報を用いて、複数の異なる時点の生体情報を定められた順序で抽出する。
【００８１】
また、抽出情報記憶部１４５Ａは、少なくとも、生体情報の収集が開始された後の第１の時点、前記第１の時点よりも後の第２の時点、前記第１の時点と前記第２の時点との間の第３の時点を記憶している。具体的には、生体情報収集装置１２０Ａが、生体情報の収集を開始した時点（第１の時点）、生体情報の収集を終了した時点（第２の時点）、生体情報の収集を開始した時点と収集を終了した時点との中間点（第３の時点）である。
【００８２】
本実施形態では、上記の第１から第３の時点に加え、第１の時点と第３の時点との中間点である第４の時点、第３の時点と第２の時点との中間点である第５の時点を加えている。また、定められた順序は、第１、第２、第３、第４、第５の時点の順序である。
【００８３】
したがって、抽出部１４４Ａは、第１〜第５の時点の順に生体情報を抽出する（Ｓ３０３）。なお、抽出する生体情報は、たとえば、第１から第５のそれぞれの時点を中心とする前後１．５秒間というように、一定の時間幅を持っている。
【００８４】
生体情報収集装置１２０Ａは、生体情報表示装置１４０Ａから生体情報の送信指示があるか否かを判断する（Ｓ３０４）。送信指示がなければ（Ｓ３０４：ＮＯ）、送信指示があるまで待つ。一方、送信指示があれば（Ｓ３０４：ＹＥＳ）、記憶部１２４に記憶されている、抽出した生体情報を出力インターフェース１２６から生体情報表示装置１４０Ａに向けて送信する（Ｓ３０５）。
【００８５】
（生体情報表示装置１４０Ａの動作）
図８は、図５に示す生体情報表示装置１４０Ａの動作フローチャートである。
【００８６】
生体情報表示装置１４０Ａは、生体情報収集装置１２０Ａから送信されてくる、生体情報の中から複数の異なる時点の生体情報を定められた順序で抽出した生体情報を、入力インターフェース１４２から受信する（Ｓ４００）。
【００８７】
生体情報表示装置１４０Ａは、受信した生体情報を生体情報記憶部１４３に記憶する（Ｓ４０１）。
【００８８】
表示部１４８は、受信した生体情報を時系列に並び替えて表示する（Ｓ４０２）。つまり、生体情報記憶部１４３に記憶された生体情報を時系列、または、ユーザーが任意に設定した並び順に並び替えて表示する。
【００８９】
その後、生体情報表示装置１４０Ａは、全ての生体情報を受信したか否かを判断する（Ｓ４０３）。つまり、生体情報表示装置１４０Ａは、生体情報収集装置１２０Ａから届き次第生体情報を表示部１４８に表示していき、その後、生体情報収集装置１２０Ａの記憶部１２４に記憶されている、全ての生体情報が、生体情報記憶部１４３に記憶され、表示部１４８に表示されたか否かを判断する。
【００９０】
全ての生体情報を受信していなければ（Ｓ４０３：ＮＯ）、Ｓ４００の処理に戻って、Ｓ４００からＳ４０２の処理を繰り返す。一方、全ての生体情報が受信されたら（Ｓ４０３：ＹＥＳ）、処理を終了する。
【００９１】
なお、実施形態２において、表示部１４８に表示される生体情報は、実施形態１のように第１〜５の時点の生体情報と同様のものであってもよいし、異なる時点のものであってもよい。
【００９２】
表示部１４８による表示態様は実施形態１と同一であり、実施形態１出説明した通りである。
【００９３】
次に、実施形態１および実施形態２に記載されている、表示部１４８による表示態様を具体的に説明する。図９は、図２、図６に示す表示部１４８の表示態様を示す図である。
【００９４】
抽出部１４４、１４４Ａは、まず、この心電情報の収集が開始された第１の時点（２０１５／１１／１３／１：３１）を中心とする３秒間の心電波形を抽出する。次に、この心電情報の収集が終了した第２の時点（２０１５／１１／１４／１：３１）を中心とする３秒間の心電波形を抽出する。さらに、第１の時点と第２の時点の中間点である第３の時点（２０１５／１１／１３／１３：３１）を中心とする３秒間の心電波形を抽出する。次に、第１の時点と第３の時点の中間点である第４の時点（２０１５／１１／１３／７：３１）を中心とする３秒間の心電波形を抽出する。最後に、第３の時点と第２の時点の中間点である第５の時点（２０１５／１１／１３／１９：３１）を中心とする３秒間の心電波形を抽出する。
【００９５】
表示部１４８は、抽出部１４４が抽出した第１から第５の時点のそれぞれの心電波形を、抽出する度に表示する。または、表示部１４８は、抽出部１４４Ａが抽出した第１から第５の時点のそれぞれの心電波形を生体情報表示装置で受信する度に表示する。その表示は、単純に抽出した順序ではなく、生体情報収集装置１２０、１２０Ａが心電信号を収集したときの時間軸に合わせて、並べ替えられてもよい。第５の時点の心電波形が抽出されたときには、図９に示すように、表示部１４８は、第１の時点、第４の時点、第３の時点、第５の時点、第２の時点の心電波形の順序で時系列に表示する。このように、心電波形を時系列に並べることで、使用者は、時系列に並べられた心電波形を見て、生体情報記憶部１４３に記憶されている心電情報の信頼性の概要が確認できる。
【００９６】
図１０は、図２、図６に示す表示部１４８の他の表示態様を示す図である。この表示態様では、表示部１４８にスケール１６０と指標１７１〜１７５とを表示させている。これらの表示により、表示している心電波形がどの時点で収集された心電波形であるかが直観的にわかるようになる。また、全体に対してどれだけ受信したかを確認できるようになる。
【００９７】
図１０に示す心電波形の並び順は図９に示した心電波形の並び順と同一である。心電波形を表示する領域の上部の領域にはスケール１６０が表示される。スケール１６０の長さは、生体情報収集装置１２０、１２０Ａが収集した生体情報から抽出した区間の数あるいは、区間の時間に対応する長さ、または、生体情報収集装置１２０、１２０Ａが心電情報の収集に要した時間に対応する長さである。スケール１６０上の、指標１７１は第１の時点を示し、指標１７２は第２の時点を示し、指標１７３は第３の時点を示し、指標１７４は第４の時点を示し、指標１７５は第５の時点を示す。
【００９８】
表示部１４８は、表示している第１から第５の時点の心電波形と、これらの心電波形のスケール１６０上の指標１７１から１７５とは、表示色または点滅状態を同一にして表示する。
【００９９】
たとえば、第１の時点の心電波形と指標１７１とを緑色で表示し、第２の時点の心電波形と指標１７２とを黄色で表示し、第３の時点の心電波形と指標１７３とを赤色で表示する。または、第１の時点の心電波形と指標１７１とを点灯のまま表示し、第２の時点の心電波形と指標１７２とを１秒間隔で点滅させて表示し、第３の時点の心電波形と指標１７３とを０．２秒間隔で点滅させる。第４の時点の心電波形と指標１７４、第５の時点の心電波形と指標１７５の表示色、点滅状態も第１から第３の時点の心電波形と指標１７１、１７２、１７３の表示色、点滅状態に準じる。
【０１００】
また、表示部１４８は、複数の時点の指標のうち、ユーザーにより選択された生体情報のスケール１６０上の所定の時点の指標と、その他の時点の指標とを異なる表示色または点滅状態としてもよい。
【０１０１】
図１１から図１５は、表示部１４８の表示により生体情報の信頼性が効率的に評価できることの説明に供する図である。
【０１０２】
抽出部１４４、１４４Ａは、まず、この心電情報の収集が開始された第１の時点（２０１５／１１／１３／１：３１）を中心とする３秒間の心電波形を抽出する。表示部１４８は、図１１に示すように、抽出された第１の時点の心電波形を表示し、スケール１６０上に第１の時点の位置を示す指標１７１を表示する。第１の時点では心電波形が表示されているので、使用者は、この表示により、第１の時点では心電情報が正常に収集されていることが確認できる。
【０１０３】
抽出部１４４、１４４Ａは、次に、この心電情報の収集が終了した第２の時点（２０１５／１１／１４／１：３１）を中心とする３秒間の心電波形を抽出する。表示部１４８は、図１２に示すように、第１の時点の心電波形に加えて、抽出した第２の時点の心電波形を表示し、スケール１６０上に、第１の時点の位置を示す指標１７１に加えて、第２の時点の位置を示す指標１７２を表示する。第１の時点では心電波形が表示されているが第２の時点では心電波形が基線となっている。このため、使用者は、この表示により、第２の時点では誘導ケーブルの外れなどのトラブルが生じていて、心電情報が正常に収集されていないことが確認できる。
【０１０４】
抽出部１４４、１４４Ａは、次に、第１の時点と第２の時点の中間点である第３の時点（２０１５／１１／１３／１３：３１）を中心とする３秒間の心電波形を抽出する。表示部１４８は、図１３に示すように、第１、第２の時点の心電波形に加えて、抽出した第３の時点の心電波形を表示する。心電波形の表示の順序は、時系列に第１、第３、第２の時点の順である。また、スケール１６０上に、第１、第２の時点の位置を示す指標１７１、１７２に加えて、第３の時点の位置を示す指標１７３を表示する。第１および第３の時点では心電波形が表示されているが第２の時点では心電波形が基線となっている。使用者は、この表示により、第１から第３の時点までは心電情報が正常に収集されていそうであるが、第３から第２の時点の間で心電情報が正常に収集されなくなったのであろうと推測できる。
【０１０５】
抽出部１４４、１４４Ａは、次に、第１の時点と第３の時点の中間点である第４の時点（２０１５／１１／１３／７：３１）を中心とする３秒間の心電波形を抽出する。表示部１４８は、図１４に示すように、第１、第２、第３の時点の心電波形に加えて、抽出した第４の時点の心電波形を表示する。心電波形の表示の順序は、時系列に第１、第４、第３、第２の時点の順である。また、スケール１６０上に、第１、第２、第３の時点の位置を示す指標１７１、１７２、１７３に加えて、第４の時点の位置を示す指標１７４を表示する。第１、第４および第３の時点では心電波形が表示されているが第２の時点では心電波形が基線となっている。使用者は、この表示により、第１から第３の時点までは心電情報が正常に収集されていそうであるが、第３から第２の時点の間で心電情報が正常に収集されなくなったのであろうと推測できる。
【０１０６】
抽出部１４４、１４４Ａは、最後に、第３の時点と第２の時点の中間点である第５の時点（２０１５／１１／１３／１９：３１）を中心とする３秒間の心電波形を抽出する。表示部１４８は、図１５に示すように、第１、第２、第３、第４の時点の心電波形に加えて、抽出した第５の時点の心電波形を表示する。心電波形の表示の順序は、時系列に第１、第４、第３、第５、第２の時点の順である。また、スケール１６０上に、第１、第２、第３、第４の時点の位置を示す指標１７１、１７２、１７３、１７４に加えて、第５の時点の位置を示す指標１７５を表示する。第１、第４および第３の時点では心電波形が表示されているが第５、第２の時点では心電波形が基線となっている。使用者は、この表示により、第１から第３の時点までは心電情報が正常に収集されていそうであるが、第３から第５の時点の間で心電情報が正常に収集されなくなったのであろうと推測できる。また、第５の時点以降の心電情報は使えないことが確認できる。
【０１０７】
さらに、異なる時点の心電波形を継続して抽出していくことによって、第３の時点と第５の時点の間の心電波形が表示されれば、より具体的に、どの時点から心電情報が正常に収集されなくなったのかが認識できる。しかし、第５の時点の心電波形が表示されたときでも、心電情報の収集開始時点から１２時間は正常に収集されている可能性は高く、第５の時点から少なくとも６時間は正常に収集されていない可能性が高いと判断できる。
【０１０８】
上記の例では、５つの時点の心電波形を抽出することで、生体情報の信頼性の概要が認識できる。しかし、従来であれば、少なくとも収集開始時点から１２時間分の心電情報を確認しなければ、同様の判断はできない。
【０１０９】
このように、従来であれば、２０１５／１１／１３／１：３１から２０１５／１１／１４／１：３１までの一日間に収集された心電情報を、全時間に亘って、心電波形が正しく収集できているかを、使用者が時間をかけて時系列に確認する必要があった。確かに全時間に亘って心電波形を余すことなく確認することは望ましい。しかし、上記のように、全時間の内の複数の時点の心電波形を抽出することによっても、収集された心電情報のおおよその信頼性の評価ができる。上記の実施形態では、このような思想により、信頼性の評価の効率化を図っている。
【０１１０】
また、上記のように、抽出された心電波形は、抽出後、または抽出した生体情報を受信する度に、即座に表示部１４８に表示される。使用者は、順に表示される心電波形を見ながら、信頼性の評価をすることができ、信頼性に問題がないと感じた時点で、心電情報の確認作業を中断することができる。このため、信頼性の評価のより一層の効率化を図ることができる。
【０１１１】
たとえば、不整脈が発生しているか否か、心筋虚血が起きるか否などを調べるためには、最低でも８時間程度の心電情報があれば十分であるとする。この場合、図１１に示すように、第１から第３の時点までの１２時間分の心電情報の信頼性はあると推測できる。したがって、使用者は、第４または第５の心電波形が表示された時点で、心電情報の確認作業を中断しても良い。
【０１１２】
以上のように、上記の実施形態１、２に係る生体情報記録システム１００、１００Ａの生体情報表示装置１４０、１４０Ａによれば、収集した生体情報の信頼性を効率的に評価できる。
【０１１３】
（生体情報表示方法）
本発明は、生体情報表示方法をも提供している。生体情報表示方法は、生体情報表示装置１４０によって実施される。生体情報表示方法の手順は、図４、図８に示した動作フローチャートの手順と同一である。
【０１１４】
すなわち、図４に示した動作フローチャートでは、生体情報表示方法は、被検者の生体情報を入力インターフェース１４２から時系列または、ユーザーが任意に設定した並び順に入力させる段階（Ｓ２００）と、入力させた生体情報を生体情報記憶部１４３に時系列または、ユーザーが任意に設定した並び順に記憶させる段階（Ｓ２０１）と、記憶させた生体情報の中から抽出部１４４により複数の異なる時点の生体情報を定めた順序で抽出させる段階（Ｓ２０３）と、抽出させた複数の生体情報を表示部１４８に表示させる段階（Ｓ２０４）を有している。
【０１１５】
また、図８に示した動作フローチャートでは、生体情報表示方法は、被検者の生体情報の中から複数の異なる時点の生体情報を定められた順序で抽出した生体情報を入力インターフェース１４２から時系列または、ユーザーが任意に設定した並び順に入力させる段階（Ｓ４００）と、入力させた生体情報を生体情報記憶部１４３に時系列または、ユーザーが任意に設定した並び順に記憶させる段階（Ｓ４０１）抽出させた複数の生体情報を表示部１４８に表示させる段階（Ｓ４０２）を有している。
【０１１６】
上記の生体情報表示方法によれば、使用者が、表示されている生体情報を見て、収集した生体情報の信頼性を効率的に評価できる。
【０１１７】
（生体情報表示プログラム）
上記の実施形態１に係る生体情報表示装置１４０は図２に示すような構成を有する。生体情報表示装置１４０の構成は、コンピュータ内でプログラムによって実現させることができる。また、上記の実施形態２に係る生体情報収集装置１２０Ａは図５に示すような構成を有する。生体情報収集装置１２０Ａの構成は、コンピュータ内でプログラムによって実現させることができる。
【０１１８】
これらの場合、コンピュータとは、少なくともプロセッサを搭載した装置を指し、プロセッサを搭載した生体情報を収集する装置等も含まれるものであり、コンピュータにインストールするプログラムは、コンピュータに、被検者の生体情報を入力させる段階、入力させた生体情報を記憶させる段階、記憶させた生体情報の中から複数の異なる時点の生体情報を定めた順序で抽出させる段階、抽出させた複数の生体情報を表示させる段階、を実行させるための生体情報表示プログラムである。生体情報を入力、記憶させる段階については、例えば、時系列など、ユーザーが確認しやすい任意のタイミングとなるように設定できる。
【０１１９】
生体情報表示プログラムは、インターネット経由で通信回線を用いてコンピュータに提供されても良いし、磁気ディスクや光学ディスク、フラッシュメモリなど、データを記録する装置や部品などの記録媒体を介してコンピュータに提供されても良い。
【０１２０】
コンピュータに生体情報表示プログラムをインストールすることによって、コンピュータを生体情報表示装置１４０として、また、生体情報収集装置１２０Ａとして機能させることができる。このため、使用者が、コンピュータに表示されている生体情報を見て、収集した生体情報の信頼性を効率的に評価できる。
【０１２１】
（生体情報表示プログラムを記録した記録媒体）
上記の生体情報表示プログラムは、磁気ディスクや光学ディスク、フラッシュメモリなど、データを記録する装置や部品などの記録媒体を介してコンピュータにインストールすることができる。
【０１２２】
この場合、コンピュータとは、少なくともプロセッサを搭載した装置を指し、プロセッサを搭載した生体情報を収集する装置なども含まれるものであり、記録媒体は、コンピュータに、被検者の生体情報を入力させる段階、入力させた生体情報を記憶させる段階、記憶させた生体情報の中から複数の異なる時点の生体情報を定めた順序で抽出させる段階、抽出させた複数の生体情報を表示させる段階、を実行させるための生体情報表示プログラムを記録したコンピュータ読み取り可能な記録媒体である。
【０１２３】
コンピュータに記録媒体に記録されている生体情報表示プログラムをインストールすることによって、コンピュータを生体情報表示装置１４０、１４０Ａとして機能させることができる。このため、使用者が、コンピュータに表示されている生体情報を見て、収集した生体情報の信頼性を効率的に評価できる。
【符号の説明】
【０１２４】
１００、１００Ａ  生体情報記録システム、
１２０、１２０Ａ  生体情報収集装置、
１２２  センサ、
１２４  記憶部、
１２６  出力インターフェース、
１４０、１４０Ａ  生体情報表示装置、
１４２  入力インターフェース、
１４３  生体情報記憶部、
１４４、１４４Ａ  抽出部、
１４５、１４５Ａ  抽出情報記憶部、
１４８  表示部、
１６０  スケール、
１７１〜１７５  指標。
【図１】
2018139785.tif 000003
【図２】
2018139785.tif 000004
【図３】
2018139785.tif 000005
【図４】
2018139785.tif 000006
【図５】
2018139785.tif 000007
【図６】
2018139785.tif 000008
【図７】
2018139785.tif 000009
【図８】
2018139785.tif 000010
【図９】
2018139785.tif 000011
【図１０】
2018139785.tif 000012
【図１１】
2018139785.tif 000013
【図１２】
2018139785.tif 000014
【図１３】
2018139785.tif 000015
【図１４】
2018139785.tif 000016
【図１５】
2018139785.tif 000017